(57)【要約】  【課題】  自動変速機内の作動油の温度が高い状況下においても、不具合なくエンジン自動停止を実行できるようにして、充分な燃費の低減とエミッションの改善を図ることが可能な車両のエンジン自動停止装置を提供する。  【解決手段】  エンジンの動力は自動変速機を介して車輪に伝達され、かつ、自動変速機内の動力伝達機構はエンジン駆動されるオイルポンプの油圧によって操作される。エンジン自動停止装置はこのような車両に搭載され、車速が基準車速Ｖ1以下になったことを一つの条件としてエンジンを自動停止する。エンジン自動停止装置は、さらに自動変速機内の作動油の温度を監視し、作動油の温度に応じて基準車速Ｖ1を変更する。  【選択図】        図４
2006152880.tif 000002
【特許請求の範囲】
【請求項１】
エンジンの動力が自動変速機を介して車輪に伝達される車両に搭載され、
車速が基準車速以下になったことを一つの条件としてエンジンを自動停止する車両のエンジン自動停止装置であって、
前記自動変速機内の動力伝達機構が、エンジン駆動されるオイルポンプの油圧によって操作されるものにおいて、
前記自動変速機を操作する作動油の温度を監視し、その作動油の温度に応じて前記基準車速を変更することを特徴とする車両のエンジン自動停止装置。
【請求項２】
前記作動油の温度に応じた基準車速の変更は、エンジンと自動変速機の間に介装されたロックアップクラッチが締結状態にあることを一つの許可条件として実行することを特徴とする請求項１に記載の車両のエンジン自動停止装置。
【請求項３】
前記作動油の温度とその温度に対応する基準車速の関係は、自動変速機の変速比または変速段に応じて設定することを特徴とする請求項１または２に記載の車両のエンジン自動停止装置。
【発明の詳細な説明】
【技術分野】
【０００１】
この発明は、車速やブレーキペダル操作等の車両の運転状況に応じてエンジンを自動的に停止させる車両のエンジン自動停止装置に関するものである。
【背景技術】
【０００２】
近年、燃料消費の低減と排気エミッションの改善等を目的として、車両が所定の運転条件下にあるときにエンジンを自動的に停止するエンジン自動停止装置が開発されている。このエンジン自動停止装置は、例えば、ブレーキペダルが踏み込まれ、かつ、車速が基準車速以下になったことを条件にエンジンを自動停止するようになっている。
【特許文献１】特開２０００−１７５３０４号公報
【発明の開示】
【発明が解決しようとする課題】
【０００３】
ところで、エンジンの動力が自動変速機を介して車輪に伝達される車両においては、車速の低下に伴ってエンジンの回転速度が低くなると、そのエンジンによって駆動されるオイルポンプの発生油圧が低くなる。このため、温度上昇による作動油の粘性低下等の条件が重なると、自動変速機内のクラッチやブレーキ（動力伝達機構）を操作するための油圧が基準値以下に低下し、それによってクラッチやブレーキの締結状態が不安定になりやり易い。
【０００４】
したがって、このような自動変速機を備えた車両にエンジン自動停止装置が適用された場合には、車速が基準車速以下の低速になってエンジンが自動停止するときに、温度上昇によって自動変速機内の作動油の粘土が低下すると、自動変速機内のクラッチやブレーキの締結状態が不安定になり、このときショックを発生することが懸念される。
【０００５】
しかし、このショックを嫌ってエンジンの自動停止を中止すると、車速が低下してもエンジンが燃焼を続けることになるため、燃費性能の向上やエミッションの改善を充分に図ることができない。
【０００６】
そこでこの発明は、自動変速機内の作動油の温度が高い状況下においても、不具合なくエンジン自動停止を実行できるようにして、充分な燃費の低減とエミッションの改善を図ることが可能な車両のエンジン自動停止装置を提供しようとするものである。
【課題を解決するための手段】
【０００７】
上記目的を達成するために、請求項１に記載の発明は、エンジン（例えば、実施形態におけるエンジン１）の動力が自動変速機（例えば、実施形態における自動変速機５）を介して車輪（例えば、実施形態における車輪７）に伝達される車両に搭載され、車速が基準車速（例えば、実施形態における基準車速Ｖ1）以下になったことを一つの条件としてエンジンを自動停止する車両のエンジン自動停止装置であって、前記自動変速機内の動力伝達機構が、エンジン駆動されるオイルポンプ（例えば、実施形態におけるオイルポンプ２２）の油圧によって操作されるものにおいて、前記自動変速機を操作する作動油の温度を監視し、その作動油の温度に応じて前記基準車速を変更するようにした。
この場合、作動油の温度が上昇してその作動油の粘度が低下する傾向になると、作動油の温度上昇に応じて基準車速が変更される。これにより、作動油の粘度の低下に相反してエンジン自動停止時のオイルポンプの回転数が高くなり、エンジンの自動停止が開始されるときの作動油の圧力が高く維持される。したがって、エンジン停止時に自動変速機内のクラッチ等の動力伝達機構は不安定になり難くなる。
【０００８】
請求項２に記載の発明は、請求項１に記載の発明において、前記作動油の温度に応じた基準車速の変更は、エンジンと自動変速機の間に介装されたロックアップクラッチ（例えば、実施形態におけるロックアップクラッチ８）が締結状態にあることを一つの許可条件として実行するようにした。
この場合、ロックアップクラッチが締結されずトルクコンバータ等によってショックを吸収し易い状態にあるときには、必要外の基準車速の変更を無くすことが可能になる。
【０００９】
請求項３に記載の発明は、請求項１または２に記載の発明において、前記作動油の温度とその温度に対応する基準車速の関係は、自動変速機の変速比または変速段に応じて設定するようにした。
【発明の効果】
【００１０】
請求項１に記載の発明によれば、作動油の温度が上昇するに従ってエンジン自動停止が開始される基準車速が高くなるため、エンジン自動停止時における動力伝達機構の操作油圧が高く維持され、自動変速機でのショックがより発生し難くなる。
さらに、この発明においては、作動油の温度上昇時にエンジン自動停止を中止するものではないため、燃費性能の向上とエミッションの改善を確実に図ることができる。
【００１１】
また、請求項２に記載の発明によれば、ロックアップクラッチが締結されずトルクコンバータ等によってトルクを吸収し易い状態にあるときには、不要な基準車速の変更を行わないため、より低速度でエンジンの自動停止を実行させることができる。
【００１２】
また、請求項３に記載の発明によれば、自動変速機の変速比や変速段に応じた最適な基準車速の変更を行うことができる。したがって、各変速段でより低速度でエンジン自動停止を実行することができるため、燃費性能の向上とエミッションの改善を図るうえで有利となる。
【発明を実施するための最良の形態】
【００１３】
次に、この発明の一実施形態を、図１〜図４を参照して説明する。
図１は、この実施形態の車両の動力伝達系を示す全体構成図である。
この実施形態は、駆動源としてエンジン１とモータ２を併せ持つハイブリッド車両に、この発明にかかるエンジン自動停止装置を適用したものである。このハイブリッド車両は、発電機を兼ねるモータ２がエンジン１に直結されて、エンジン１の駆動補助と制動時にエネルギー回生を行う所謂パラレル式のものが採用されている。
【００１４】
エンジン１とモータ２の動力が取り出される駆動軸３は、トルクコンバータ４を介して多段式の自動変速機５に連結され、自動変速機５の出力軸６は図示しないディファレンシャル機構を介して左右の駆動車輪７に連結されている。なお、図１では一方の車輪７のみを模式的に示している。また、トルクコンバータ４は、作動油を媒体とするトルク伝達と、摩擦係合による機械連結式のトルク伝達とを切り換えるためのロックアップクラッチ８を備えている。このロックアップクラッチ８の締結と解除は自動変速機５の変速操作と同様に油圧制御回路９から供給される制御油圧によって行われる。
【００１５】
エンジン１は、レシプロタイプの多気筒エンジンであり、各気筒での燃料噴射と点火は、点火プラグと燃料噴射弁が一体に組み込まれた燃焼操作ユニット１０によって行われる。この燃焼操作ユニット１０は、車両の運転状況に応じて電子制御式のコントローラ１１（ＥＣＵ）によって制御される。燃焼操作ユニット１０は、コントローラ１１による制御によって通常の運転状況下でエンジン１の燃焼を最適に調整するが、車両状態と運転操作が所定の自動停止条件を満たしたときにエンジン１を自動停止させ、その後に自動再始動条件を満たしたときにエンジン１を自動的に再始動させる。この実施形態では、燃焼操作ユニット１０とコントローラ１１がこの発明にかかるエンジン自動停止装置を主として構成している。
【００１６】
また、エンジン１の吸入空気量を調整するスロットル（図示せず）は電子制御スロットルによって構成され、アクセルペダルの踏み込み量に応じたバルブ開度がコントローラ１１によって制御されるようになっている。
【００１７】
コントローラ１１の入力部には主要な検出手段として以下のようなものが接続されている。
（ａ）  ブレーキペダルが踏み込まれたか否かを検出するブレーキスイッチ１２
（ｂ）  アクセルペダルの踏み込み量を検出するアクセルペダルセンサ１３
（ｃ）  エンジン回転数を検出するためのクランク角センサ１４
（ｄ）  自動変速機５の入力軸１５の回転数を検出する入力軸回転センサ１６
（ｅ）  車速を検出するための車速センサ１７
（ｆ）  自動変速機５のシフトポジションを検出するシフトポジションセンサ１８
（ｇ）  バッテリ１９の残容量を検出する残容量センサ（図示せず）
（ｈ）  自動変速機５内の作動油の油温を検出する油温センサ２０
【００１８】
モータ２は、ＰＤＵ（パワードライブユニット）２１を介してバッテリ１９に接続され、コントローラ１１によるＰＤＵ２１の制御によってバッテリ１９の電力によって駆動軸３を回転させる。また、車両の制動時にはモータ２は発電機として機能し、コントローラ１１によるＰＤＵ２１の制御によって回生エネルギーをバッテリ１９に充電する。
【００１９】
このハイブリッド車両は、油圧制御回路９に対する油圧供給源として、機械式オイルポンプ２２と電動オイルポンプ２３を備えている。機械式オイルポンプ２２はエンジン１の回転軸に連係され、エンジン１またはモータ２の駆動力によって作動する。また、電動オイルポンプ２３は、ポンプドライバ２４を介して１２Ｖの補助バッテリ２５に接続された電動モータ２６によって駆動される。この電動オイルポンプ２３は、機械式オイルポンプ２２がエンジン１またはモータ２の動力によって通常に作動しているときには基本的に停止しており、駆動軸３の回転数の低下によって機械式オイルポンプ２２による充分な吐出量が得られなくなったときに、コントローラ１１による制御によって駆動される。
【００２０】
また、油圧制御回路９は、シフトレバー（図示せず）に連動して前進、中立、後退の基本となる油路を選択切り替えするマニュアルバルブ（図示せず）と、作動油の圧力や細部の油路の切り替えを制御する他の複数のバルブ（図示せず）を備えており、車両の運転状況に応じてこれらのバルブがコントローラ１１によって制御され、それによって自動変速機５内のクラッチやブレーキの操作圧を調整する。これにより、自動変速機５では変速段の変更や動力の断切が行われる。また、油圧制御回路９は、前述のように車両の運転状況に応じたコントローラ１１によるバルブ制御により、トルクコンバータ４のロックアップクラッチ８に適宜制御油圧を供給する。
【００２１】
このハイブリッド車両における基本的なエンジン自動停止制御（以下、「基本自動停止制御」と呼ぶ。）は、次の（１）〜（３）の条件をすべて満たしたときにコントローラ１１によって実行される。
（１）  ブレーキスイッチ１２がＯＮ
（２）  アクセルペダルセンサ１３による検出踏み込み量が０
（３）  車速が制御許可車速を一度超え、かつ現在の車速が基準車速Ｖ1以下（図２参照）
ただし、この実施形態の場合、制御許可車速と基準車速Ｖ1は同値に設定されている。しかし、制御許可車速と基準車速Ｖ1は必ずしも同値に設定する必要はなく、制御許可車速を基準車速Ｖ1よりも大きく設定するようにしても良い。
【００２２】
また、エンジン自動停止制御が行われた後のエンジン再始動制御は、次の（４），（５）の条件を同時に満たしたときにコントローラ１１によって実行される。
（４）  ブレーキスイッチ１２がＯＦＦ
（５）  アクセルペダルセンサ１３による検出踏み込み量が所定値以上
なお、ここで述べた基本自動停止制御やエンジン再始動制御の条件は一例であり、さらに別の条件を付加することも可能である。
【００２３】
ところで、この実施形態のエンジン自動停止装置は、前述の基本自動停止制御をベースに、エンジン自動停止を許可する基準車速Ｖ1を自動変速機５内の作動油の温度に応じて変更するようになっている。即ち、コントローラ１１内の記憶部には、自動変速機５の変速段毎に図３に示すような車速と油温の関係を設定したテーブルが記憶されており、エンジン自動停止を開始するときに油温センサ２０によって作動油の温度を読み込み、このとき、前記テーブルを参照して検出温度を対応する車速を求める。そして、ここで求めた車速を基準車速Ｖ1に代入し、基準車速Ｖ1を作動油の温度に応じた値に変更する。なお、前記テーブルにおける常用温度範囲での車速と油温の関係は、基本的に油温の上昇に応じて車速が略比例的に上昇するように設定されている。
【００２４】
図４は、この実施形態のエンジン自動停止制御を示すフローチャートである。以下、このフローチャートに従って具体的制御について説明する。
【００２５】
Ｓ１０１では、ブレーキスイッチ１２とアクセルペダルセンサ１３の信号を基にブレーキペダルが踏み込まれ、かつアクセルペダルが解放されていること（条件（１），（２））を判断し、この両条件を満たすときにはＳ１０２に進み、満たさないときには処理を抜けてエンジン１の自動停止を行わないようにする。
Ｓ１０２では、現在の自動変速機５の変速段と作動油の温度に対応する基準車速Ｖ1を、記憶部の車速−油温テーブルを参照して決定し、つづくＳ１０３において、現在の車速がＳ１０２で決定した基準車速Ｖ1以下であるかどうかを判断する。そして、この１０３において、基準車速Ｖ1以下でないと判断したときにはエンジン１の自動停止を行わず、基準車速Ｖ1以下と判断したときにはエンジン１を自動停止して制御を終了する。
【００２６】
以上のように、この実施形態のエンジン自動停止装置は、自動変速機５内の作動油の温度が上昇すると、その上昇に応じて基準車速Ｖ1が高まるように変更されるため、温度上昇と共に作動油の粘度が低下しても、エンジン自動停止時における自動変速機内動力伝達機構（クラッチやブレーキ）の締結圧を高く維持することができる。即ち、このエンジン自動停止装置では、温度上昇に伴う作動油の粘度低下によって起こる締結圧の低下分は、エンジン自動停止の開始速度（基準車速Ｖ1）を高め、エンジン停止時の機械式のオイルポンプ２２の吐出圧を高めることによって相殺することができる。したがって、このエンジン自動停止装置を用いた車両においては、エンジン自動停止時に自動変速機５内のクラッチやブレーキの締結が不安定になる不具合を無くすことができるため、締結の不安定化によって起こるショックを未然に防止することができる。
【００２７】
また、このエンジン自動停止装置は、自動変速機内の作動油の温度が上昇してもエンジン自動停止の開始速度（基準車速Ｖ1）を高めるだけで、エンジン自動停止自体を中止するものではないため、燃費性能の向上と排気エミッションの抑制を図るうえでは有利となる。
【００２８】
つづいて、この発明の他の実施形態を、図５を参照して説明する。
この実施形態の車両の概略構成は前述した実施形態と同様であり、図面で示せば図１と同じになる。したがって、ここでは車両の構成は図１を参照し、具体的な説明は省略するものとする。
【００２９】
図４は、この実施形態のエンジン自動停止装置の制御を示すフローチャートである。この装置は、自動変速機内の作動油の温度に応じた基準車速を決定する処理を行う前に、別の条件を付している点で異なっている。
即ち、この装置による制御は、Ｓ１０２において、車速−油温テーブルを参照して作動油の温度に応じた基準車速Ｖ1を決定する前に、Ｓ１２０において、トルクコンバータ４内のロックアップクラッチ８が締結状態にあるか否かを判断し、締結状態にあると判断したときにだけＳ１０２の処理を行い、締結状態にないと判断したときにはエンジン自動停止を不許可にするようになっている。なお、ロックアップクラッチ８の締結・非締結の判断は、例えば、エンジン１側のクランク角センサ１４と自動変速機５側の入力軸回転センサ１６の検出信号を基にして判断するようにすれば良い。
【００３０】
したがって、この実施形態のエンジン自動停止装置による制御によれば、ロックアップクラッチ８が非締結で、エンジン１と自動変速機５がトルクコンバータ４内の作動油を介して連結されているときには、作動油の温度に応じた基準車速Ｖ1の変更は行わないようになる。つまり、エンジン１と自動変速機５がトルクコンバータ４内の作動油を介して連結されているときには、エンジン停止時に自動変速機内で僅かなショックが生じても、トルクコンバータ４内の作動油によってそのショックを吸収することができる。よって、この実施形態の装置においては、基準車速Ｖ1の引き上げ変更をできる限り無くし、燃費性能の向上とエミッションの抑制をより一層図ることができる。
【００３１】
なお、この発明は上記実施形態に限定されるものではなく、その要旨を逸脱しない範囲で種々の設計変更が可能である。例えば、上記の実施形態では、この発明にかかるエンジン自動停止装置をエンジンとモータを備えたハイブリッド車両に適用したが、動力源としてエンジンのみを備えた車両に適用することも可能である。また、上記の実施形態においては、エンジン動力を車輪に伝達する変速機として多段式の自動変速機を採用したが、無段式の自動変速機を採用することも可能である。この場合、作動油の温度とその温度に対応する基準車速の関係は、例えば、自動変速機の変速比に応じて演算等によって求めるようにすれば良い。
【図面の簡単な説明】
【００３２】
【図１】この発明の一実施形態のエンジン自動停止装置を搭載したハイブリッド車両の概略構成図。
【図２】同実施形態のエンジン停止時における車速と、エンジン回転数と、ブレーキ信号の関係を示すタイムチャート。
【図３】同実施形態における自動変速機の変速段毎の車速−油温テーブル。
【図４】同実施形態のエンジン自動停止時における制御を示すフローチャート。
【図５】この発明の他の実施形態のエンジン自動停止時における制御を示すフローチャート。
【符号の説明】
【００３３】
１…エンジン  ５…自動変速機  ７…車輪  ８…ロックアップクラッチ  ２２…オイルポンプ  Ｖ1…基準車速
【図１】
2006152880.tif 000003
【図２】
2006152880.tif 000004
【図３】
2006152880.tif 000005
【図４】
2006152880.tif 000006
【図５】
2006152880.tif 000007